(57)【要約】【課題】より大きな風量を得られるファンモータを提供すること。【解決手段】回転羽根１３が取り付けられる回転子１０と、回転子１０に回転力を付勢する固定子２０と、を備えたファンモータＡにおいて、回転羽根１３が、回転羽根１３の中心部から放射状に伸び、回転羽根１３を回転子１０に固定するための複数の固定部１３ｂと、各々の固定部１３ｂの側部に一体に接続されると共に固定部１３ｂの外方へ延在し、固定部１３ｂの側部において曲折される複数の羽根部１３ｃと、を有する一枚の金属板からなることを特徴とする。【選択図】  図２
2004204773.tif 000002
【特許請求の範囲】
【請求項１】
回転羽根が取り付けられる回転子と、該回転子に回転力を付勢する固定子と、を備えたファンモータにおいて、
前記回転羽根が、前記回転羽根の中心部から放射状に伸び、前記回転羽根を前記回転子に固定するための複数の固定部と、各々の前記固定部の側部に一体に接続されると共に前記固定部の外方へ延在し、前記固定部の前記側部において曲折される複数の羽根部と、を有する一枚の金属板からなることを特徴とするファンモータ。
【請求項２】
前記回転子が、
環状の永久磁石と、
該永久磁石の上面に取り付けられるバックヨークと、を備え、
前記固定子が磁力により前記回転子に回転力を付勢するものであり、
前記回転羽根は、前記バックヨークの上面に固定されることを特徴とする請求項１に記載のファンモータ。
【発明の詳細な説明】
【０００１】
【発明の属する技術分野】
本発明は、電子部品等の冷却に用いられるファンモータに関する。
【０００２】
【従来の技術】
ノートパソコン、デジタルビデオカメラ、ＰＤＡ等の各種小型電気機器の冷却にはファンモータが用いられており、様々な提案がなされている（例えば、特許文献１乃至３）。このようなファンモータのうち、特に従来の軸流型ファンモータでは、マグネットが装着されるバックヨークに気流を発生する複数の羽根が一体加工されているのが一般的である。以下、従来の軸流型ファンモータの回転子の構造について図３を参照して説明する。図３（ａ）は、回転羽根１０１が取り付けられた従来の回転子１００の構造を示す断面図、（ｂ）は、図３（ａ）の平面視図、（ｃ）は、回転羽根１０１の羽根部１０１ｂを展開した図である。
【０００３】
回転子１００は、円板状の永久磁石からなる。回転羽根１０１は、一枚の金属板を加工したもので、回転子１００が固定されるバックヨーク部１０１ａと、バックヨーク部１０１ａの周縁に一体に接続された羽根部１０１ｂと、を有し、その中央部に設けられた穴１０１ｃには軸１０２が嵌合する。羽根部１０１ｂは、図３（ｃ）に示す状態からバックヨーク部１０１ａに対して約９０度ねじられ、また、同図に示す破線において若干曲折されて形成される。
【０００４】
【特許文献１】特開平１０−３３６９５３号公報
【特許文献２】特開平１１−８９５１号公報
【特許文献３】特開平１１−８９６２号公報
【０００５】
【発明が解決しようとする課題】
しかし、上記従来のファンモータにおいては、バックヨークの外周に羽根が配設されるため、羽根の大きさはマグネットとハウジングとの間の限られたスペースに制限される。従って、羽根の大型化に限界があり、十分な風量を得ることができず、ファンモータとして重要な特性である風量−静圧特性を向上することが困難であった。
【０００６】
従って、本発明の目的は、より大きな風量を得られるファンモータを提供することにある。
【０００７】
【課題を解決するための手段】
本発明によれば、回転羽根が取り付けられる回転子と、該回転子に回転力を付勢する固定子と、を備えたファンモータにおいて、前記回転羽根が、前記回転羽根の中心部から放射状に伸び、前記回転羽根を前記回転子に固定するための複数の固定部と、各々の前記固定部の側部に一体に接続されると共に前記固定部の外方へ延在し、前記固定部の前記側部において曲折される複数の羽根部と、を有する一枚の金属板からなることを特徴とするファンモータが提供される。
【０００８】
本発明においては、前記回転子が、環状の永久磁石と、該永久磁石の上面に取り付けられるバックヨークと、を備え、前記固定子が磁力により前記回転子に回転力を付勢するものであり、前記回転羽根は、前記バックヨークの上面に固定されるように構成することもできる。
【０００９】
【発明の実施の形態】
以下、本発明の好適な実施の形態について図面を参照して説明する。図１は、本発明の一実施形態に係る軸流型のファンモータＡの断面構造図である。ファンモータＡは、回転子１０と、回転子１０に磁力により回転力を付勢する固定子２０と、を備える。
【００１０】
回転子１０は、環状（円板状）の永久磁石１１と、永久磁石１１が固定されたバックヨーク１２と、からなる。バックヨーク１２には、回転羽根１３が取り付けられており、回転羽根１３は軸１４の上端部に嵌合している。そして、回転子１０の回転に伴う回転羽根１３の回転により、軸１４の軸方向に気流を生じさせる。
【００１１】
固定子２０は、軸１４回りに巻き回されたコイルからなる電機子であり、中央に軸１４との干渉を防止する穴が設けられた基台３０上に永久磁石１４と僅かな空隙をもって対向する位置に固定されている。固定子２０は、電流の通電により磁界を発生し、この磁界が永久磁石１１に作用することにより回転子１０に回転力が付勢されることになる。
【００１２】
基台３０の中央部には、円筒状の支持体３１が立設されており、この支持体３１の内部には、軸１４を支持する軸受け３２が設けられている。この構成により、軸１４が回転自在に支持され、回転子１０が自由に回転可能となる。
【００１３】
次に、回転子１０に対する回転羽根１３の取り付け構造について図１及び図２を参照して説明する。図２（ａ）は、回転羽根１３が取り付けられた回転子１０の平面視図、（ｂ）は、回転羽根１３の平面視図、（ｃ）は、バックヨーク１２の平面視図、（ｄ）は、回転羽根１３の羽根部１３ｂを展開した図である。
【００１４】
回転羽根１３は、バックヨーク１２に回転羽根１３を固定するための穴１３ａ’を有し、回転羽根１３の中心部から放射状に延びる複数の固定部１３ｂと、各固定部１３ｂの側部において一体に接続されると共に固定部１３ｂの半径方向外方へ延在する複数の羽根部１３ｃと、回転羽根１３の中心部において突起した凸部１３ｄと、を有し、一枚の金属板から型抜き、プレス加工、曲折等の処理を経て作成されたものである。また、図２（ｄ）に示すように回転羽根１３の中心には、穴１３ｅが設けられており、ここに軸１４の上端部が嵌合する。
【００１５】
バックヨーク１２は、永久磁石１１による磁束を強める働きを有するもので、例えば、鉄等からなり、中央に穴１２ａが設けられ、下面内側に永久磁石１１が装着されるスペースを有する円盤状をなしており、その上面には、環状の突起１２ｂが複数設けられている。そして、この環状の突起１２ｂを回転羽根１３の固定部１３ｂに設けられた穴１３ａに挿入し、図１に示すように突起１２ｂをカシメることで、バックヨーク１２に回転羽根１３が固定される。
【００１６】
ここで、本実施形態では、図２（ｄ）に示すように、回転羽根１３の羽根部１３ｃは、固定部１３ｂの側部に接続されており、その境界（図２（ｄ）に示す、略半径方向に向いた破線）において、固定部１３ｂに対して略９０度曲折されて形成される。この場合、図１に示すように、図２（ｄ）において、羽根部１３ｃのうち固定部１３ｂの側方に位置する部分が固定部１３ｂの上方へ向くように配設され、気流を生じさせる羽根の一部を構成する。
【００１７】
このように羽根部１３ｃをバックヨーク１２よりも上方に位置する部分を含めて構成することで、従来のようにバックヨークの外周に羽根部を配設する場合に比較して、同じ大きさのファンモータであっても、羽根部１３ｃを大型化することができる。更に、軸１４の中心付近の空気をファンモータＡ内に取り入れることができ、より大きな風量が得られ、風量−静圧特性を向上することができる。更に、回転羽根１３には薄肉化が要求されるところ、回転羽根１３を金属板から構成することにより、樹脂成形の場合に比べて、加工の容易性及び強度の向上を図ることができ、ひいて低コスト化も実現される。
【００１８】
【発明の効果】
以上説明したように、本発明によれば、より大きな風量を得られるファンモータが提供される。
【図面の簡単な説明】
【図１】本発明の一実施形態に係る軸流型のファンモータＡの断面構造図である。
【図２】（ａ）は、回転羽根１３が取り付けられた回転子１０の平面視図、（ｂ）は、回転羽根１３の平面視図、（ｃ）は、バックヨーク１２の平面視図、（ｄ）は、回転羽根１３の羽根部１３ｂを展開した図である。
【図３】（ａ）は、回転羽根１０１が取り付けられた従来の回転子１００の構造を示す断面図、（ｂ）は、図３（ａ）の平面視図、（ｃ）は、回転羽根１０１の羽根部１０１ｂを展開した図である。
【符号の説明】
Ａ  ファンモータ
１０  回転子
１１  永久磁石
１２  バックヨーク
１３  回転羽根
１３ｂ  固定部
１３ｃ  羽根部
２０  固定子
【図１】
2004204773.tif 000003
【図２】
2004204773.tif 000004
【図３】
2004204773.tif 000005